(57)【要約】【課題】  ステージから流れ出た遊戯球が再度該ステージに戻る可能性があって興趣性を高めることができるようにする。【解決手段】  センター役物９にはステージ１１とサブステージ１２とが設けられている。ステージ１１には入賞確率の高い導入口部１４が形成されている。このステージ１１の前側に位置する前記サブステージ１２には、中央回転役物１６、サイド回転役物１７、１７が回転駆動されるように設けられている。中央回転役物１６は、円形状の回転体１６ａに磁石１６ｂを埋め込んで構成されていて、磁石１６ｂに遊戯球５が吸着されると、ステージ１１に戻される。サイド回転役物１７は、回転体１７ａの円周の２箇所に円弧凹状の保持部１７ｂを形成して構成されている。その保持部１７ｂに遊戯球５が保持されると、ステージ１１に戻される可能性が高い。【選択図】  図１
2005080674.tif 000002
【特許請求の範囲】
【請求項１】
ステージを備え、このステージから流出した遊戯球の一部を該ステージに戻すことが可能な戻し手段を設けたことを特徴とする遊技機のセンター役物。
【請求項２】
請求項１の遊技機のセンター役物において、前記ステージの他にサブステージを設け、
前記戻し手段は、前記ステージから流出してサブステージに至った遊戯球の一部を前記ステージに戻す構成であることを特徴とする遊技機のセンター役物。
【請求項３】
請求項２の遊技機のセンター役物において、前記ステージにおける入賞確率が前記サブステージにおける入賞確率が高くなるように構成されていることを特徴とする遊技機のセンター役物。
【請求項４】
請求項１又は２の遊技機のセンター役物において、戻し手段は、遊戯球を保持可能な保持部を備えた回転体から構成されていることを特徴とする遊技機のセンター役物。
【請求項５】
請求項２の遊技機のセンター役物において、戻し手段は、サブステージが傾動する構成であることを特徴とする遊技機のセンター役物。
【発明の詳細な説明】
【技術分野】
【０００１】
本発明はステージを備えた遊技機のセンター役物に関する。
【背景技術】
【０００２】
従来より、遊技機には、センター役物を備えたものが周知である。このセンター役物には、ステージが設けられている。このステージには、センター役物の左右のワープ入り口から遊戯球が入り、この遊戯球は、このステージを左右に揺動しながら前端から落下する。この場合、このステージの中央下方に入賞装置が設けられている。
従って、ステージの中央から落下する遊戯球は入賞装置に入る確率が高く、中央から外れた部位から落下する遊戯球は入賞装置に入る確率は低い。
【特許文献１】特開２０００−３００７４
【発明の開示】
【発明が解決しようとする課題】
【０００３】
上記構成のものでは、ステージを転動する遊戯球がステージのどの部分から落ちるかに、遊戯者の興趣が集まるだけであって、楽しみ方が単一的であり、興趣性が低いというのが実情であった。
本発明の目的は、ステージから流れ出た遊戯球が再度該ステージに戻る可能性があって興趣性を高めることができる遊技機のセンター役物を提供するにある。
【課題を解決するための手段】
【０００４】
請求項１の発明は、ステージを備え、このステージから流出した遊戯球の一部を該ステージに戻すことが可能な戻し手段を設けたことを特徴とするものである。これによれば、ステージから流れ出た遊戯球が再度該ステージに戻る可能性があって興趣性を高めることができる。
この場合、請求項２の発明のように、前記ステージの他にサブステージを設け、前記戻し手段を、前記ステージから流出してサブステージに至った遊戯球の一部を前記ステージに戻す構成としても良い。このようにすると、サブステージにおいて遊戯球がステージに戻されるかどうかを楽しむことができるようになる。
【０００５】
また、請求項３の発明のように、前記ステージにおける入賞確率が前記サブステージにおける入賞確率が高くなるように構成しても良い。この場合、二つのステージにおいて入賞するかどうかを楽しむことができ、しかも入賞確率の高いステージに遊戯球が戻されるかどうかを楽しむこともできる。
また、戻し手段は、遊戯球を保持可能な保持部を備えた回転体から構成しても良いし（請求項４の発明）、サブステージが傾動する構成としても良い（請求項５の発明）。
【発明を実施するための最良の形態】
【０００６】
以下、本発明をパチンコ機に適用した一実施例につき図１ないし図３を参照して説明する。図２に示すように、パチンコ機１の遊戯盤２には作動口３及び大入賞口４が設けられており、遊戯盤２は遊戯領域を構成している。作動口３は、遊戯球５（図１参照）の通路を備えており、その通路入口には羽根６が開閉可能に支持されている。
大入賞口４の前にはシャッタ７が設けられている。このシャッタ７は図示しないソレノイドにより作動させられて大入賞口４を開閉する。
【０００７】
遊戯盤２の中央部分（作動口３の上方）には、可変表示装置としての特別図柄表示装置（以下単に表示装置という）８が組み込まれている。この表示装置８では、図柄変動が、遊戯球５の作動口３への入賞に基づいて開始させられる。この場合、図柄が大当たり図柄となると、大入賞口４が開放し、大当たりの状態となり、より多くの賞球を獲得することが可能となる。
【０００８】
上記表示装置８を取り囲むようにセンター役物９が設けられている。このセンター役物９は、枠部１０及びステージ１１並びにサブステージ１２を備えて構成されている。枠部１０は、左右の側部１０ａ、１０ｂ、上部１０ｃ及び下部１０ｄからなる。この下部１０ｄの上面がステージ１１とサブステージ１２とを構成している。
左右の側部１０ａ、１０ｂにはワープ通路１３が形成されており、そのワープ通路入口たる遊戯球入口１３ａは左右の側部１０ａ、１０ｂの前端部に張り出した形態に形成されている。そしてワープ通路出口たる遊戯球放出口１３ｂは、ステージ１１の左右両端で開口している。
【０００９】
このステージ１１は、全体が前方向へ極めて緩く下り傾斜しており、なお且つ、中央へ向けて下降傾斜している。その中央部には若干上方へ突出する導入口部１４が形成されており、この導入口部１４は、サブステージ１２下方を通って前面の導出口部１５と通路を介して連通している。この導出口部１５は前記作動口３の真上に位置している。
このステージ１１の前側の一段下がった部位に前記サブステージ１２が設けられていて、これは、全体が前方向へ極めて緩く下り傾斜しており、なお且つ、中央へ向けて下降傾斜している。その中央部には戻し手段としての中央回転役物１６が矢印Ａ方向へ回転し得るように設けられている。この中央回転役物１６は、円形状の回転体１６ａに保持部としての磁石１６ｂを例えば３個埋め込んで構成されている。この回転体１６ａは、図示しないモータにより矢印Ａ方向へ回転駆動されるようになっている。
【００１０】
さらに、この中央回転役物１６の両側には、遊戯球５が通過できるスペースＳ（図３参照）をおいてサイド回転役物１７、１７が矢印Ｂ方向（矢印Ａ方向と同方向）へ回転し得るように設けられている。このサイド回転役物１７は、回転体１７ａの円周の２箇所に遊戯球５が横から入り込めるような円弧凹状の保持部１７ｂを形成して構成されている。この回転体１７ａは、図示しないモータにより矢印Ｂ方向へ回転駆動されるようになっている。
【００１１】
前記サブステージ１２の前端には、前記スペースＳにほぼ対応して落下阻止リブ１２ａ、１２ａが形成されている。
ここで、ステージ１１に至った遊戯球５は導入口部１４に入るか、ステージ１１前端から落ちるかするが、導入口部１４に入った遊戯球５が導出口部１５から作動口３に入る確率は高い。従って、ステージ１１前端から落ちることを考慮してもステージ１１における入賞確率は高い。また、サブステージ１２に至った遊戯球５は、前記回転役物１６、１７が無いと仮定した場合、その前端から落ちるが、作動口３に入る確率はかなり低いものである。
【００１２】
さて、上記構成において、遊戯球５が遊戯球入口１３ａに入ると、遊戯球放出口１３ｂからステージ１１に放出される。この遊戯球５は、いろいろの経路を経るが、特徴的なコースについて述べる。ステージ１１に至った遊戯球５は、矢印Ｃで示すように、導入口部１４に入って導出口部１５から出たり、あるいは、矢印Ｄで示すようにステージ１１前端からサブステージ１２に落ちて、矢印Ｄ１で示すようにサブステージ１２の前端から落ちたり、あるいは、サイド回転役物１７の回転状況によっては矢印Ｄ２のように保持部１７ｂに進入して保持され、ステージ１１に戻される。これにより、再度、遊戯球５がステージ１１の導入口部１４に入る可能性が与えられることになる。
【００１３】
または、ステージ１１の遊戯球５は、別の経路として、矢印Ｅで示すようにステージ１１前端からサイド回転役物１７と中央回転役物１６との間のスペースＳに落ちることもあり、この場合、リブ１２ａに当たり、矢印Ｅ１で示すように、サブステージ１２のリブ１２ａ、１２ａ間の前端より落下したり、あるいは、中央回転役物１６の回転状況によっては、矢印Ｅ２に示すように、その磁石１６ｂに吸着されてステージ１１の導入口部１４部分に戻される。つまり、サブステージ１２に至った遊戯球５が入賞確率の高いステージ１１の導入口部１４に戻される。
【００１４】
このように本実施例によれば、ステージ１１を備え、このステージ１１から流出した遊戯球５の一部を該ステージ１１に戻すことが可能な中央回転役物１６及びサイド回転役物１７を設けたから、ステージ１１から流れ出た遊戯球５が再度該ステージ１１に戻る可能性があって興趣性を高めることができる。
特に本実施例によれば、ステージ１１の他にサブステージ１２を設け、前記ステージ１１から流出してサブステージ１２に至った遊戯球５の一部を前記ステージ１１に戻す構成としたから、サブステージ１２に落ちてきた遊戯球５が再度ステージ１１に戻されるかどうかを楽しむことができる。
【００１５】
またこの場合、前記ステージ１１における入賞確率が前記サブステージ１２における入賞確率が高い構成であるから、二つのステージ１１、１２において入賞するかどうかを楽しむことができ、しかも入賞確率の高いステージ１１に遊戯球５が戻されるかどうかを楽しむこともできる。
なお、上記実施例では、戻し手段としての中央回転役物１６を、遊戯球５を保持可能な保持部たる磁石１６ｂを備えた回転体１６ａから構成したから、遊戯球５が磁石１６ｂに保持されてステージ１１に戻るのを目視できて興趣性が高くなる。また再度回転役物１７を、回転体１７に円弧凹状の保持部１７ａを備えた構成としたから、これも中央回転役物１６と同様に、遊戯球５が保持部１７ｂに保持されてステージ１１に戻るのを目視できて興趣性が高くなる。この場合、保持部１７ｂから遊戯球５が脱落する可能性もあるので、さらに興趣性が高くなる。
【００１６】
また、戻し手段としては、中央回転役物１６やサイド回転役物１７でなくても良く、次のように構成しても良い。すなわち、サブステージ１２を枠体１０と別の板状部材から形成し、この板状部材を傾動可能（前傾及び後傾可能）に軸支し、その傾きが順次変化する構成とし、その傾きによっては、遊戯球５がステージ１１に戻るようにしても良い。あるいは、サブステージ１２を枠体１０とは別の板状部材から形成し、該板状部材の一部がステージ１１より上方へ飛び出すようなシーソー状に揺動可能に軸支するように構成することで、戻し手段を構成しても良い。このようにしても、遊戯球５がステージ１１に戻る可能性がある。
【００１７】
また、ステージ１１の構成としては、上記実施例に限定されるものではなく、導入口部１４は複数形成しても良いし、導入口部１４部分へ下降傾斜する形態でなく緩く上昇する形態でも良い。さらに、ステージ１１とサブステージ１２との入賞確率に差をつける手段としては種々考えられるものである。
【図面の簡単な説明】
【００１８】
【図１】本発明の一実施例を示すセンター役物の部分的斜視図
【図２】パチンコ機の遊戯盤を示す正面図
【図３】センター役物の正面図
【符号の説明】
【００１９】
図面中、１はパチンコ機（遊技機）、５は遊戯球、９はセンター役物、１１はステージ、１２はサブステージ、１３はワープ通路、１４は導入口部、１５は導出口部、１６は中央回転役物（戻し手段）、１６ａは回転体、１６ｂは磁石（保持部）、１７はサイド回転役物（戻し手段）、１７ａは回転体、１７ｂは保持部を示す。
【図１】
2005080674.tif 000003
【図２】
2005080674.tif 000004
【図３】
2005080674.tif 000005